(57)【要約】【課題】使用する前に乾燥拭き取りシートを湿らせることにより、湿度を維持することができ、密閉性及び温度維持効果が高い、拭き取りシート湿潤維持装置を提供すること。【解決手段】弾性を有し、嵌入密閉リング３０が形成された密閉蓋体３を備える張力蓋体１００と、側面が包囲板４１より成り、内部に収容槽４を備え、上面が開口した固形容器４００とを含み、張力蓋体１００が、固形容器４００の開口を閉鎖可能で、嵌入密閉リング３０と嵌合する取り出し口１０が設けられた張力板１と、張力板１の辺縁を囲む環状拘束部２とを含み、環状拘束部２の下面に環状溝が形成され、環状溝の開口部位から外側に向かって水平嵌合溝２２が凹設され、水平嵌合溝２２の溝底内縁に逆フック部が形成され、包囲板４１の上部外側表面に水平環状リブ５が設けられ、水平環状リブ５と水平嵌合溝２２とが緊密に弾性係合可能である。【選択図】図４
0003201858.tif 000002
【実用新案登録請求の範囲】
【請求項１】
乾燥拭き取りシートを使用直前に湿らせるための拭き取りシート湿潤維持装置であって、
弾性材料で成型され、密閉蓋体が設けられ、該密閉蓋体の一面に一体として起立状の嵌入密閉リングが設けられた張力蓋体と、側面が包囲板より構成され、内部に収容槽を備え、上面に設けられた開口を通じて外部に連通された固形容器とを含み、
前記張力蓋体が、前記固形容器の開口を閉鎖可能で、前記嵌入密閉リングが嵌合される位置に対応して取り出し口が設けられた張力板と、前記張力板の辺縁を囲んで設けられた環状拘束部とを含み、前記環状拘束部の下面に上に向かって窪んだ環状溝が形成され、前記環状溝の開口部位から外側に向かって水平嵌合溝が凹設され、前記水平嵌合溝の溝底が、前記張力蓋体と一体を成して延伸された環状端縁となる逆フック部により構成され、
前記固形容器の前記包囲板の上部外側表面に、水平に外側に向けて凸出された水平環状リブが設けられ、前記水平環状リブと前記水平嵌合溝とが緊密に弾性係合可能であることを特徴とする、拭き取りシート湿潤維持装置。
【請求項２】
前記水平嵌合溝の溝底が、張力蓋体と一体を成して延伸された環状端縁となる逆フック部により構成されたことを特徴とする、請求項１に記載の拭き取りシート湿潤維持装置。
【請求項３】
前記取り出し口の径方向内側表面に、Ｗ字形環状段部が周設され、嵌入密閉リングの径方向外側表面にＭ字形環状段部が周設され、Ｗ字形環状段部とＭ字形環状段部の波形面が相互に密着して嵌合されることを特徴とする、請求項１に記載の拭き取りシート湿潤維持装置。
【請求項４】
前記密閉蓋体の端部に、外側へ向かう張り出し部が形成されたことを特徴とする、請求項１に記載の拭き取りシート湿潤維持装置。
【請求項５】
前記密閉蓋体が張力蓋体の一側に連結帯を介して一体として延伸されたことを特徴とする、請求項１に記載の拭き取りシート湿潤維持装置。
【請求項６】
前記密閉蓋体が張力蓋体から分離した独立部材であることを特徴とする、請求項１に記載の拭き取りシート湿潤維持装置。
【請求項７】
前記密閉蓋体が硬質体であることを特徴とする、請求項４に記載の拭き取りシート湿潤維持装置。
【請求項８】
前記固形容器の収容槽内底部に貯水部材が設置されたことを特徴とする、請求項１に記載の拭き取りシート湿潤維持装置。
【請求項９】
前記貯水部材が、間接層により前記収容槽と隔離され、前記間接層が水を透過可能であることを特徴とする、請求項８に記載の拭き取りシート湿潤維持装置。
【考案の詳細な説明】
【技術分野】
【０００１】
本考案は、外出時の持ち運びに便利で、乾いた状態で保存されている乾燥拭き取りシートを使用する前に湿らせて湿潤度を維持する拭き取りシート湿潤維持装置に関する。
【背景技術】
【０００２】
物品や身体を拭いてきれいにする際に、付着した物質が水溶性でも、空気にさらされて乾燥し、粘着してしまった状況では、乾燥拭き取りシートやティッシュペーパーを使用した乾燥拭き取りではきれいにすることができないため、ウェットティッシュが登場した。
ウェットティッシュは、その湿潤性を利用して体に付着した汚れを取り除くことができ、また皮膚の表皮組織を保護するために、頻繁に用いられる。このウェットティッシュは、繊維を絡み合わせた靭性が比較的強い不織布から成り、湿潤後に液体と混ざり合うことで皮膚の汚れを簡単な操作で除去することができ、力を入れて擦っても、表皮組織のつやを破壊してしまうことがない。
【０００３】
しかしながら、市販の拭き取りシートは、外出時の携帯に便利なように強靭性のプラスチックで包装されており、開封すると、内部の溶液が蒸発して外に放出される経路ができ、徐々に乾燥してしまう。さらに、消費者はいつ大量に使用するか、使用しなくてもよいかを予期できないため、適量を購入することができず、購入量が多すぎると長い間放置しておくことになり、プラスチックパックのウェットティッシュ内部には液体が存在するため、長期間保存できない。このため、通常は防腐剤が添加されるが、拭き取りを行うと防腐剤が毛穴から吸収され、アレルギーを引き起こすことがある。
このような問題を解決するものは従来存在しなかった。
【考案の概要】
【考案が解決しようとする課題】
【０００４】
本考案が解決しようとする課題は、上述の問題を解決し、使用する直前に乾燥拭き取りシートを湿らせることにより、湿度を維持することができ、密閉性が高い拭き取りシート湿潤維持装置を提供することにある。
【課題を解決するための手段】
【０００５】
本考案は、乾燥拭き取りシートを使用前に湿らせるための拭き取りシート湿潤維持装置に関し、弾性材料で成型され、密閉蓋体が設けられ、該密閉蓋体の一面に一体として起立状の嵌入密閉リングが設けられた張力蓋体と、側面が包囲板より構成され、内部に収容槽を備え、上面に設けられた開口を通じて外部に連通された固形容器とを含み、前記張力蓋体が、前記固形容器の開口を閉鎖可能で、前記嵌入密閉リングが嵌合される位置に対応して取り出し口が設けられた張力板と、前記張力板の辺縁を囲んで設けられた環状拘束部とを含み、前記環状拘束部の下面に上に向かって窪んだ環状溝が形成され、前記環状溝の開口部位から外側に向かって水平嵌合溝が凹設され、前記水平嵌合溝の溝底が、前記張力蓋体と一体を成して延伸された環状端縁となる逆フック部により構成され、前記固形容器の前記包囲板の上部外側表面に、水平に外側に向けて凸出された水平環状リブが設けられ、前記水平環状リブと前記水平嵌合溝とが緊密に弾性係合可能である。
【０００６】
以下の構成を採用しても良い。
前記水平嵌合溝の溝底が、張力蓋体と一体を成して延伸された環状端縁となる逆フック部により形成された構成。
前記取り出し口の径方向内側表面に、Ｗ字形環状段部が周設され、嵌入密閉リングの径方向外側表面にＭ字形環状段部が周設され、Ｗ字形環状段部とＭ字形環状段部の波形面が相互に密着して嵌合される構成。
前記密閉蓋体の端部に、外側へ向かう張り出し部が形成された構成。
前記密閉蓋体が張力蓋体の一側に連結帯を介して一体として延伸された構成。
前記密閉蓋体が張力蓋体から分離した独立部材である構成。
前記密閉蓋体が硬質体である構成。
前記固形容器の収容槽内底部に貯水部材が設置された構成。
前記貯水部材が、間接層により前記収容槽と隔離され、前記間接層が水を透過可能である構成。
【考案の効果】
【０００７】
本考案によれば、使用する分量に応じて、使用前に乾燥拭き取りシートを水等の液体で湿らせることができ、かつ張力蓋体と固形容器の密閉関係により、内部の液体が外側に漏れ出ることがなく、さらに蒸発してしまうこともなく、水を加えるだけでよく、また防腐剤を混合する必要もないため、使用時の安全性と利便性を高めることができる。
弾性を備えた着脱自在の張力蓋体を利用して、固形容器を密閉できるので、固形容器にあらかじめウェットティッシュを収容することも、取り出し口を通して乾燥拭き取りシートと共に液体を注入することも、内部に収容された液体で後から入れた乾燥拭き取りシートを湿潤させることも可能である。
張力蓋体の周縁に設けられた環状拘束部に、水平方向の中心に向かう圧力が加わるので、環状拘束部が固形容器上端部の開口側縁を圧迫し、密閉効果が高まる。
【図面の簡単な説明】
【０００８】
【図１】本考案の実施例に係る張力蓋体の斜視図である。
【図２】本考案の実施例に係る張力蓋体の断面図である。
【図３】本考案の実施例に係る固形容器の断面図である。
【図４】本考案の実施例を示す拭き取りシート湿潤維持装置の断面図である。
【図５】本考案の実施例に係る張力蓋体の密閉蓋体閉鎖状態における断面図である。
【考案を実施するための形態】
【０００９】
以下、本考案の実施例を図面に基づいて詳細に説明する。
図４に示すように、本考案の拭き取りシート湿潤維持装置は、張力蓋体１００と、固形容器４００とを含む。
張力蓋体１００は、シリコンなどの弾性を備えた材料で成り、図１に示すように、張力蓋体１００の上面は張力板１で構成され、張力板１の辺縁を囲んで環状拘束部２が一体に形成され、一側に連結帯３１を介して密閉蓋体３が延伸される。
【００１０】
密閉蓋体３は、嵌入密閉リング３０を備え、この嵌入密閉リング３０を介して張力板１に設けられた取り出し口１０に逆さ方向に嵌合される。張力蓋体１００が弾性材料で成るため、連結帯３１は湾曲することができる。また、密閉蓋体３の外縁には張り出し部３２が一体に形成され、張り出し部３２を引き上げることにより、取り出し口１０に閉じ合わせられた嵌入密閉リング３０を取り出し口１０から抜出させることができる。
図に示す例では、密閉蓋体３は張力蓋体１００と一体成型されているが、密閉蓋体３は連結帯３１の連結を排除した独立部材として設けてもよく、その場合独立部材の材質はより硬いものとできるため、取り出し口１０をしっかりと塞ぐことができ、取り出し口１０をより緊密に密封する効果を発揮できる。
【００１１】
図２に示すように、環状拘束部２は、張力板１の周縁が下方向に湾曲・延伸されて周設され、環状拘束部２の外側に連結帯３１を介して密閉蓋体３が延伸して連接される。密閉蓋体３の嵌入密閉リング３０は、起立状であって、リング周壁板３３より形成され、嵌入密閉リング３０の径方向外側面に多段状のＭ字形環状段部３４が形成される。
張力板１は嵌入密閉リング３０が閉じ合わせられる位置に貫通状の取り出し口１０が設けられ、拭き取りシート（図示しない）を取り出す際に通り口として用いられる。取り出し口１０は一体を成して環状に配設された開口周壁板１０１により形成され、径方向内側表面にＷ字形環状段部１０２が設けられる。
Ｗ字形環状段部１０２と嵌入密閉リング３０のＭ字形環状段部３４とは多段式の相互嵌合関係を形成し、Ｗ字形環状段部１０２とＭ字形環状段部３４の曲線を描く形状により、密閉時に接触する面積が拡大され、かつこの曲線の変化によってより緊密に結合され、水液が漏れ出ないようにすることができる。
【００１２】
また、環状拘束部２の下面に上方へ凹陥された環状溝２１が設けられ、環状溝２１の開口部外端から外側に向かって、内方へ開口した水平嵌合溝２２が設けられ、水平嵌合溝２２の底部の溝底２２０は、張力蓋体１００と一体を成して下方向に湾曲・延伸された環状端縁２３０となっており、環状端縁２３０の末端が上方向に延伸されて逆フック部２３が設けられる。
この逆フック部２３が形成する凹陥状の水平嵌合溝２２と溝底２２０、水平嵌合溝２２の上端部から上方へ延びる環状溝２１、環状に配設され、かつ張力蓋体１００本体の幅面中心に向かって締めつける力を備えた環状拘束部２、及び水平嵌合溝２２と環状溝２１間の複数の湾曲した曲線の連結により、張力蓋体１００と固形容器４００との接触面積が大きくなり、密閉性が高まる。
【００１３】
図３に示すように、拭き取りシート（図示しない）が収容される固形容器４００は、内部に収容槽４が形成され、収容槽４は上面に設けられた開口４０を介して外部に連通される。固形容器４００の側面は環状に囲む包囲板４１より構成され、包囲板４１の外側表面上方位置に、外側に向けて水平環状リブ５が設けられる。水平環状リブ５は、凸部５２を外側に向かって突出して形成され、凸部５２の下面には、凸部５２の内部に向かって切れ込む逆フック状溝５３が形成される。
包囲板４１は水平環状リブ５よりも上方へ突出し、包囲板４１の上端部は、環状の開口部辺縁を形成する上端開口部５１となっている。
そして、環状拘束部２と水平環状リブ５とを閉じ合わせると、水平及び垂直の嵌合関係が得られ、張力蓋体１００の離脱を防止できる。
【００１４】
図４に示すように、張力蓋体１００と固形容器４００を閉じ合わせると、内部に収納可能な空間が形成される。
張力蓋体１００に設けられた環状拘束部２は、外側に向かって拡げて設けられた水平嵌合溝２２の作用により、外力を受けて水平環状リブ５から引っ張られても、水平嵌合溝２２の弾性により内側に締め付ける力が働き、水平環状リブ５に設けられた凸部５２の外側表面を締め付ける。
【００１５】
張力蓋体１００の環状拘束部２（図２参照）に設けられた水平嵌合溝２２および溝底２２０と逆フック部２３の連接関係、および環状溝２１の上から下への圧迫、逆フック部２３端部の跳ね上がり部分の凸部５２（図３参照）、逆フック状溝５３に対する嵌入、及び上端開口部５１の環状溝２１部位における拘束によって、張力蓋体１００と固形容器４００が密閉され、大面積の曲線の嵌合が形成される。
【００１６】
環状拘束部２に設けられた逆フック部２３は、同様に弾性体であり、環状拘束部２とともに張力板１の張力作用を受けて、外側に向かって拡がることができず、張力板１によって径方向内側に引っ張られるため、環状拘束部２が固形容器４００の水平環状リブ５を水平方向の内側に向かって拘束し、拘束後環状溝２１と水平嵌合溝２２および溝底２２０、さらに逆フック部２３の嵌合により、固形容器４００の水平環状リブ５に設けられた凸部５２および逆フック状溝５３と上端開口部５１間が接近する方向の拘束力を得ることができ、張力蓋体１００を固形容器４００に閉じ合わせた時、緊密性が高く、漏れを防止できる。
【００１７】
張力蓋体１００に設けられた取り出し口１０（再び図４を参照）は、乾燥拭き取りシート（図示しない）を取り出すための経路に供され、使用者が乾燥拭き取りシートを固形容器４００の収容槽４に入れ、張力蓋体１００を閉じた後、湿らせた拭き取りシートを取り出し口１０から取り出すことができる。取り出し口１０は内部に向かってきれいな液体を注入するために供することもでき、注入後、密閉蓋体３の嵌入密閉リング３０で取り出し口１０を塞ぎ、緊密な密閉効果を果たすことができる。
【００１８】
収容槽４の底部に間接層６０を追加設置してもよい。この間接層６０は、吸水繊維または樹脂類を素材とし、その目的は飽和水液を吸収することである。乾燥拭き取りシートを入れた後、水液が乾燥している場所に向かって平衡を生じ、入れられた乾燥拭き取りシートを湿らせる。
間接層６０は、収容槽４の底に収容した貯水部材６から間隔をあけてやや上方に配置し、貯水部材６の位置を維持できるようにしてもよい。間接層６０はネット状であり、貯水部材６内部の液体を交換し、収容槽４の空間に向かって流動させる。
【００１９】
また、外出前に、乾燥拭き取りシートを素早く湿らせるために、外出前に水に浸漬して湿らせた後、収容槽４内部に入れ、その含水飽和度が過量の場合、間接層６０が逆方向の吸収を形成し、取り出して使用する拭き取りシートの含水量が高すぎる状況を回避できる。
張力蓋体１００と固形容器４００の結合により、外出時に乾燥拭き取りシートだけを携帯し、使用する前に固形容器４００内部に入れ、水を充填し、収容槽４の内部で湿らせて、ウェットティッシュを作成し、密閉蓋体３を開けて取り出し口１０から便利に取り出して使用することができる。
【００２０】
図５に示すように、密閉蓋体３に設けられた嵌入密閉リング３０は、張力蓋体１００に設けられた取り出し口１０に嵌着され、それぞれに設けられたＷ字形環状段部１０２とＭ字形環状段部３４（図２を参照）の間に曲線断面の凹凸波形嵌合関係が形成され、両者を嵌合して封鎖する面積が増大される。かつこの凹凸波形の形状により、嵌入密閉リング３０を取り出し口１０に嵌着した場合に離脱しにくくなり、嵌入密閉リング３０を開ける操作は、延伸して設けられた張り出し部３２を指で引っ張ることで嵌入密閉リング３０を動かして取り出し口１０から離脱させる。離脱後の密閉蓋体３は、連結帯３１を介して張力蓋体１００に連結された状態となる。
【符号の説明】
【００２１】
１        張力板
１０      取り出し口
１００    張力蓋体
１０１    開口周壁板
１０２    Ｗ字形環状段部
２        環状拘束部
２１      環状溝
２２      水平嵌合溝
２２０    溝底
２３      逆フック部
２３０    環状端縁
３        密閉蓋体
３０      嵌入密閉リング
３１      連結帯
３２      張り出し部
４００    固形容器
４        収容槽
４０      開口
４１     包囲板
４２      槽底
３３      リング周壁板
３４      Ｍ字形環状段部
５        水平環状リブ
５１      上端開口部
５２      凸部
５３      逆フック状溝
６        貯水部材
６０      間接層
【図１】
0003201858.tif 000003
【図２】
0003201858.tif 000004
【図３】
0003201858.tif 000005
【図４】
0003201858.tif 000006
【図５】
0003201858.tif 000007